(57)【特許請求の範囲】
【請求項１】
被清掃面に接触させる清掃部材が交換可能に装着される清掃具本体と、該清掃具本体の一端部に取着する柄部とを備える清掃具であって、
前記清掃具本体は、前記柄部に取着する芯部と、該芯部の軸方向に移動して該芯部から進退可能に突出する可撓性張出し部とを備え、
前記芯部と前記可撓性張出し部とが重複して撓みが抑制された状態と、前記可撓性張出し部を突出させて該可撓性張出し部が撓み易くなった状態とを切り替え可能とした清掃具。
【請求項２】
前記可撓性張出し部は、これの幅方向中央部分に配置した前記芯部を両側から挟み込んだ状態で前記軸方向にスライド移動する板状部である請求項１に記載の清掃具。
【請求項３】
前記芯部には、これの軸方向に沿って案内溝が形成されており、前記可撓性張出し部は該案内溝にスライド移動可能に係止されて前記軸方向に進退する請求項１又は２に記載の清掃具。
【請求項４】
前記可撓性張出し部を異なる突出長さで前記芯部に位置決め保持する段階的位置決め係合手段を備える請求項１〜３のいずれかに記載の清掃具。
【請求項５】
前記可撓性張出し部の前記柄部側の端部には、前記清掃具本体に装着される前記清掃部材の基端部分を保持する清掃部材保持手段が設けられている請求項１〜４のいずれかに記載の清掃具。
【発明の詳細な説明】
【技術分野】
【０００１】
本発明は、清掃具に関し、特に、清掃シート、清掃布、モップ等の清掃部材が交換可能に装着される清掃具本体と、この清掃具本体の一端部に連設する柄部とを備え、清掃部材を被清掃面に接触させて清掃を行う清掃具に関する。
【背景技術】
【０００２】
例えば不織布等からなる使い捨て用の清掃シートや、清掃布、モップ等を、例えば合成樹脂製の本体部分に着脱交換可能に取り付けて用いるハンディモップ等の清掃具が知られている（例えば、特許文献１参照）。これらの清掃具によれば、清掃シート等を廃棄したり、洗い直して繰り返し用いたりしながら、例えば家庭内において簡便且つ手軽に清掃を行うことが可能になる。
【０００３】
また、これらの従来の手で把持して使用する簡易な清掃具では、清掃シート、清掃布、モップ等の清掃部材が装着される本体部分は、装着された清掃部材を被清掃面に押し付けた際に、しなりながら清掃対象物を押圧して被清掃面の清掃が行われることになる。
【特許文献１】特開２００３−２６５３９１号公報
【発明の開示】
【発明が解決しようとする課題】
【０００４】
一方、これらの手で把持して使用する簡易な清掃具は、例えば家庭内の多種多様な清掃対象物に対して、例えば埃等に対する簡単な拭き取りから、こびりついた汚れ等を相当の力を加えて除去する清掃まで種々雑多な清掃作業に用いられる。このような清掃対象物や汚れの種類等に応じて、形状や構造の異なる複数の清掃具から、清掃形態に即した適度なしなりを生じさせるものを適宜選択して用いることにより、効率的な清掃を行うことが可能になると考えられるが、複数の清掃具を持ち歩きながら清掃を行うのは不便である。
【０００５】
本発明は、清掃部材が装着される本体部分のしなり易い状態と、しなり難い状態とを切り替えることを可能にし、単一の清掃具を用いて清掃形態に応じた効率的な清掃を行うことのできる清掃具を提供することを目的とする。
【課題を解決するための手段】
【０００６】
本発明は、被清掃面に接触させる清掃シート、清掃布、モップ等の清掃部材が交換可能に装着される清掃具本体と、該清掃具本体の一端部に取着する柄部とを備える清掃具であって、前記清掃具本体は、前記柄部に取着する芯部と、該芯部の軸方向に移動して該芯部から進退可能に突出する可撓性張出し部とを備え、前記芯部と前記可撓性張出し部とが重複して撓みが抑制された状態と、前記可撓性張出し部を突出させて該可撓性張出し部が撓み易くなった状態とを切り替えて、装着された前記清掃部材による清掃を行えるようにした清掃具を提供することにより、上記目的を達成したものである。
【発明の効果】
【０００７】
本発明の清掃具によれば、清掃部材が装着される本体部分のしなり易い状態と、しなり難い状態とを切り替えることを可能にし、単一の清掃具を用いて清掃形態に応じた効率的な清掃を行うことができる。
【発明を実施するための最良の形態】
【０００８】
図１及び図２に示す本発明の好ましい一実施形態に係る清掃具１０は、清掃部材として、例えば不織布からなる装着袋１１ａの外周面に多数の細い索条状又は糸状の繊維材料１１ｂを植設、固着、又は溶着することによって形成されたモップ状の清掃部材１１を着脱交換可能に装着して用いられ、柄部１２を手で把持して室内や車内等における清掃対象物に付着したごみ、ほこり、汚れ等を清掃部材１１によって捕集し、好ましくは、清掃対象物や汚れの種類等に応じて、清掃部材１１が装着された本体部分（清掃具本体）１３のしなり易さを変化させながら、効率良く清掃作業を行えるようにするものである。
【０００９】
そして、本実施形態の清掃具１０は、被清掃面に接触させる清掃部材１１が交換可能に装着される清掃具本体１３と、この清掃具本体１２の一端部に取着する柄部１２とを備えるハンディタイプの清掃具であって、清掃具本体１１は、柄部１２に取着する芯部１４と、この芯部１４の軸方向Ｘに移動して芯部１４から進退可能に突出する可撓性張出し部１５とを備え、芯部１４と可撓性張出し部１５とが重複して撓みが抑制された状態（図１参照）と、可撓性張出し部１５を突出させてこの可撓性張出し部１５が撓み易くなった状態（図２参照）とを切り替えて、装着された清掃部材１１による清掃を行えるようになっている。
【００１０】
また、本実施形態の清掃具１０では、可撓性張出し部１５は、その幅方向中央部分に配置した芯部１４を両側から挟み込んだ状態でこれの軸方向Ｘにスライド移動する板状部を備えている。
【００１１】
本実施形態の清掃具１０を構成する清掃具本体１３は、上述のように芯部１４と可撓性張出し部１５とからなり、例えばポリプロピレン、ポリエチレン等の合成樹脂による成形品である。芯部１４は、図３及び図４にも示すように、例えば両側端部が側端面１４ａとして垂直に切り欠かれた扁平な略菱形断面形状部分を備えており、例えば幅5〜55ｍｍ、長さ20〜300ｍｍ程度の縦長帯状の平面形状部分を備えるように形成される。また芯部１４は、その略菱形断面形状によって中央部分が2〜20ｍｍ程度の相当の厚さを有することにより断面剛性が大きくなっていて、柄部１２を把持して被清掃面に押し付けた際に、可撓性張出し部１５と比較して、軸方向Ｘの撓み剛性が大きなしなり難い部分となっている。
【００１２】
さらに、本実施形態では、芯部１４の先端部には、当該芯部１４の断面形状よりも一廻り断面面積が大きくなった段差ストッパー部１４ｂが設けられており、可撓性張出し部１５を軸方向Ｘにスライド移動させた際に、この段差ストッパー部１４ｂに可撓性張出し部１５の基端部分に取り付けた連結ストッパー片１６を当接させることにより、可撓性張出し部１５が芯部１４から脱落するのを阻止できるようになっている。さらに、芯部１４の後端面には、後方に延設する柄部１２が、例えば溶着接合されて一体として取り付けられている。
【００１３】
ここで、本実施形態では、柄部１２は、例えば異なる径を有する複数本の合成樹脂製のパイプ部材１２ａを、軸方向に順次スライド可能に挿入配置しつつ連結することによって構成されるものであり、清掃対象物を清掃するのに適した適宜の長さに調整して清掃作業を行うことができるようになっている。
【００１４】
本実施形態では、芯部１４の例えば両側の側端面１４ａには、段差ストッパー部１４ｂを含む軸方向Ｘに沿った芯部１４の全長に亘って、案内溝１７が、幅方向中心側に向かって切り込まれて各々形成されている。また各案内溝１７の中心側最深部に位置する溝底面１７ａには、図４に示すように、位置決め係止凹部１７ｂが、軸方向Ｘに沿って所定の間隔をおいた複数箇所に、段階的位置決め係合手段として設けられている。
【００１５】
芯部１４の両側の案内溝１７には、幅方向中央部分にスペース部分１５ａを設けて二股状に形成された板状部分である可撓性張出し部１５の、当該スペース部１５ａを挟んだ両側の側板部１５ｂの内側縁部分が各々挿入配置される。これによって、可撓性張出し部１５は、案内溝１７により案内されて、可撓性張出し部１５の幅方向中央部分に配置している当該芯部１４を両側から挟み込んだ状態で、これの軸方向Ｘにスムーズにスライド移動することが可能になる。また、両側の各案内溝１７の溝底面１７ａに形成された位置決め係止凹部１７ｂは、可撓性張出し部１５の両側の側板部１５ｂの後端部において、スペース部分１５ａに突出して設けられた位置決め係止凸部１５ｃ（図３参照）が選択的に係合され、段階的に位置決めされるから、可撓性張出し部１５を異なる突出長さで芯部１４に位置決めした状態で仮止め保持することができるようになっている。
【００１６】
芯部１４と共に清掃具本体１３を構成する可撓性張出し部１５は、例えば0.1〜3ｍｍ程度の厚さの板状部分であって、好ましくは芯部１４より肉薄で、上述のように、幅方向中央部分にスペース部分１５ａを設けた二股状に形成されると共に、例えば一対の側板部１５ｂが設けられた部分の幅が10〜100ｍｍ程度、全長が25〜305ｍｍ程度の大きさの、縦長の平面形状を備えている。これによって可撓性張出し部１５は、柄部１２を把持して当該可撓性張出し部１５のみを被清掃面に押し付けた際に、芯部１４と比較して、しなり易い可撓性に富んだ部分を形成する。また可撓性張出し部１５の先端部分１５ｄは、スペース部分１５ａが形成されず両側の側板部１５ｂが連続する部分となっていると共に、先端側が頂部となった略三角形状に形成されて、清掃部材１１の装着袋１１ａに清掃具本体１３を挿入装着し易い形状となっている。さらに、可撓性張出し部１５の後端部には、スペース部分１５ａの内側に突出する上述の位置決め係止凸部１５ｃが設けられていると共に、可撓性張出し部１５の基端部分において両側の側板部１５ｂを互いに連結する連結ストッパー片１６を取り付けるための取付け孔１８が開口形成されている。
【００１７】
連結ストッパー片１６は、芯部１４の扁平な略菱形断面形状を上下に二つ割りにした内面形状部分を備える立体帯板形状の合成樹脂成形品である。連結ストッパー片１６は、例えば定着板１６ａに設けた係合ピンを、可撓性張出し部１５の側板部１５ｂに形成した取付け孔１８に各々嵌合係止することにより、側板部１５ｂの基端部分を上下から挟み込むようにして一対取り付けられ、両側の側板部１５ｂを連結する。連結ストッパー片１６は、芯部１４の案内溝１７に、可撓性張出し部１５の側板部１５ｂの少なくとも後方部分の内側縁部分を挿入した上で、段差ストッパー部１４ｂを超えた位置において芯部１４を上下から挟み込むようにして取り付けられる。これによって連結ストッパー片１６は、可撓性張出し部１５を芯部１４の軸方向Ｘにスライドさせて先端部側に突出させた場合に、段差ストッパー部１４ｂに当接するので、可撓性張出し部１５が芯部１４から脱落することを阻止するストッパーとしての機能を発揮することになる。
【００１８】
また、本実施形態では、連結ストッパー片１６の外側面に、清掃部材１１の保持手段として例えばマジックテープ（登録商標）１９等を取り付けておくこともできる。このように、例えば連結ストッパー片１６を介して可撓性張出し部１５の柄部１２側の端部に保持手段１９を設けておくことにより、清掃具本体１３に清掃部材１１を装着した際に、その端部を保持するので、清掃部材１１が清掃具本体１３、或いは可撓性張出し部１５から脱落するのを効果的に阻止することが可能になる。なお、保持手段としては、マジックテープ（登録商標）１９によるものの他、例えば清掃部材１１を構成するシートに切り込みを設けてこれを連結ストッパー片１６に引っ掛けるようにしたものや、連結ストッパー片１６や可撓性張出し部１５の端部にクリップ機構を設けたもの等、その他の種々の保持手段を採用することができる。
【００１９】
上述の構成を備える本実施形態の清掃具１０は、清掃作業時に、清掃具本体１３に清掃部材１１を装着して使用する。すなわち、例えば上述の装着袋１１ａの外周面に繊維材料１１ｂが植設されて形成されたモップ状の清掃部材１１を装着する場合、図５（ａ）に示すように、好ましくは装着袋１１ａの開口部１１ｃを介して装着袋１１ａの内側面を外側にめくり返し、繊維材料１１ｂを装着袋１１ａの内側に包み込んで着脱交換可能なモップ製品として製品化されている状態から、清掃具本体１３を開口部１１ｃの反対側から開口部１１ｃに向けて装着袋１１ａの内部に押し込み、図５（ｂ）に示すように、押し込んだ清掃具本体１３によって繊維材料１１ｂが植設された装着袋１１ａの外側面を開口部１１ｃから押し出しつつ、装着袋１１ａの内側面を開口部１１ｃの反対側から内側に引き込んで反転させてゆくことにより、容易に清掃部材１１の装着作業を行うことができる。また、清掃部材１１が清掃具本体１３に装着された状態では（図２参照）、装着袋１１ａの開口部１１ｃ側の端部内側面が連結ストッパー片１６のマジックテープ（登録商標）１９に保持されて、清掃部材１１の脱落が防止されることになる。
【００２０】
そして、本実施形態の清掃具１０によれば、例えば可撓性張出し部１５の位置決め係止凸部１５ｃが芯部１４の後端部に位置する位置決め係止凹部１７ｂに係合して、芯部１４の略全体が可撓性張出し部１５と重複している状態では（図１参照）、芯部１４が張出し部１５と比較して撓み性が小さいこと、又は剛性があることによって清掃部材１１を装着した清掃具本体１３の撓みが抑制され、しなり難くなっているので、例えば清掃対象物にこびりついた汚れ等を相当の力を加えて除去する清掃形態に適した清掃具１０となる。また、例えば可撓性張出し部１５の位置決め係止凸部１５ｃが芯部１４の先端部に位置する位置決め係止凹部１７ｂに係合して、芯部１４の略全体が可撓性張出し部１５と重複していない状態では（図２参照）、清掃部材１１のほとんどが可撓性張出し部１５のみに装着されると共に、可撓性張出し部１５の略全体が芯部１４の先端から張出すように突出しているので、可撓性張出し部１５のしなり易い可撓性に富んだ材質によって、埃等に対する軽い力で行う拭き取りやハタキ等の清掃形態に適した清掃具１０となる。さらに、例えば可撓性張出し部１５の位置決め係止凸部１５ｃが芯部１４の中間部分に位置する位置決め係止凹部１７ｂに係合して、芯部１４の一部が可撓性張出し部１５と重複している状態では、上述の清掃形態の中間の清掃圧による清掃形態に適した清掃具１０となる。
【００２１】
したがって、本実施形態の清掃具１０によれば、清掃部材１１が装着される清掃具本体１３のしなり易い状態と、しなり難い状態とを調整可能に切り替え、しなりの程度によって、被清掃面への押圧力や清掃圧、或いは被清掃面への押圧面積を変化させることができるので、単一の清掃具１０を用いて各種の清掃形態に応じた効率的な清掃を行うことが可能になる。
【００２２】
図６（ａ），（ｂ）は、本発明の他の実施形態に係る清掃具２０，３０を示すものである。これらの清掃具２０，３０では、可撓性張出し部２５，３５を芯部２４，３４に対して折れ曲がった状態で芯部２４、３４の先端から突出させることができるようになっている。すなわち、図６（ａ）の清掃具２０では、可撓性張出し部２５は湾曲した形状に予め加工形成されていると共に、真っ直ぐに変形させることが可能な弾性を備えている。そして、可撓性張出し部２５は、芯部２４と重複している状態では案内溝２７により形状を規制されて真っ直ぐに弾性変形しており、芯部２４から張出した状態では元の湾曲形状に復元して、芯部２４に対して折れ曲がった状態で突出するようになっている。
【００２３】
また、図６（ｂ）の清掃具３０では、芯部３４の先端部３４ａがこれの後方部分３４ａに対して回転可能に連結されていると共に、これらの当接面３４ｃが、斜めに切り欠かれた面となっている。そして、可撓性張出し部２５を芯部３４の先端から張出して、先端部３４ａと後方部分３４ａが当接面３４ｃを介して真っ直ぐに連結している状態から、芯部３４の中心軸を中心として先端部３４ａを後方部分３４ｂに対して１８０度回転させることにより、当接面３４ｃを介して先端部３４ａと後方部分３４ｂとが折れ曲がって連結した状態となり、可撓性張出し部３５の芯部３４の先端から突出した部分が、後方部分３４ｂに対して折れ曲がる。
【００２４】
これらの実施形態の清掃具２０，３０によっても、芯部２４，３４と可撓性張出し部２５，３５とが重複して撓みが抑制された状態と、可撓性張出し部２５，３５を芯部２４、３４の先端から突出させて当該可撓性張出し部２５，３５が撓み易くなった状態とを切り替えて、上記実施形態の清掃具２０と同様の作用効果が奏されると共に、芯部２４、３４の先端から突出した可撓性張出し部２５，３５が芯部２４，３４に対して折れ曲がった状態となっているので、例えば高い場所や狭隘な場所等における埃や汚れを拭き取る作業を、さらに効果的に行うことが可能になる。
【００２５】
なお、本発明は上記実施形態に限定されることなく種々の変更が可能である。例えば、清掃具本体の芯部は、合成樹脂製のものの他、金属製等の部材であっても良く、その断面形状は、略菱形以外の、円形、矩形等の種々の断面形状を備えるものであっても良い。また、清掃具本体の可撓性張出し部は、合成樹脂製のものの他、薄い金属、ゴム、スポンジ等からなるものであっても良く、その形状は、平板形状の他、ロッド形状、枝分れした形状等、種々の形状を採用することもできる。さらに、可撓性張出し部を芯部の軸方向にスライド移動させる案内溝は、直線状の他、螺旋状等に形成することもでき、可撓性張出し部を芯部の軸方向に移動させる手段は、案内溝によるレール方式の他、ネジ方式やスリーブ方式等によるものであっても良い。さらにまた、清掃具本体に交換可能に装着される清掃部材は、装着袋の外周面に繊維材料を植設したモップ状のものである必要は必ずしも無く、例えば不織布等からなる使い捨て用の清掃シート、清掃布を袋状に形成したものや袋状にすることなく清掃具本体に巻き付けて使用するもの等、その他の種々の清掃部材を用いることもできる。
【図面の簡単な説明】
【００２６】
【図１】本発明の好ましい一実施形態に係る清掃具の芯部と可撓性張出し部とが重複して撓みが抑制された状態の斜視図である。
【図２】本発明の好ましい一実施形態に係る清掃具の芯部から可撓性張出し部を突出させて可撓性張出し部が撓み易くなった状態の要部斜視図である。
【図３】本発明の好ましい一実施形態に係る清掃具の要部分解斜視図である。
【図４】本発明の好ましい一実施形態に係る清掃具を構成する芯部を、上部右側の略４半部分を切り欠いて示す斜視図である。
【図５】（ａ），（ｂ）は、本発明の好ましい一実施形態に係る清掃具において、清掃具本体に清掃部材を装着する状況を説明する斜視図である。
【図６】（ａ）は本発明の他の実施形態に係る清掃具の要部を示す斜視図、（ｂ）は本発明のさらに他の実施形態に係る清掃具の要部を、Ａ部において芯部を折り曲げる際の説明図と共に示す斜視図である。
【符号の説明】
【００２７】
１０，２０，３０  清掃具
１１  清掃部材
１１ａ  清掃部材の装着袋
１１ｂ  細い索条状又は糸状の繊維材料
１１ｃ  装着袋の開口部
１２，２２，３２  柄部
１３  清掃具本体
１４，２４，２５  芯部
１４ａ  芯部の側端面
１５，２５，３５  可撓性張出し部
１５ａ  可撓性張出し部のスペース部分
１５ｂ  可撓性張出し部の側板部
１５ｃ  位置決め係止凸部（段階的位置決め係合手段）
１５ｄ  可撓性張出し部の先端部分
１６  連結ストッパー片
１７，２７，３７  案内溝
１７ａ  案内溝の溝底面
１７ｂ  位置決め係止凹部（段階的位置決め係合手段）
１８  取付け孔
１９  マジックテープ（登録商標）(清掃部材保持手段）
Ｘ    芯部の軸方向
【図１】
0004508989.tif 000002
【図２】
0004508989.tif 000003
【図３】
0004508989.tif 000004
【図４】
0004508989.tif 000005
【図５】
0004508989.tif 000006
【図６】
0004508989.tif 000007